(57)【要約】【課題】  内部にペーストを入れるシリンダと、そのシリンダ内のペーストをノズル部から押し出すピストンとを有する医療用ペースト注入器があり、そのペースト注入器のピストンを動かす補助具として押出装置がある。従来の押出装置は、ピストンの軸中心或いはピストンロッドの軸中心に自己の押圧シャフトを当ててピストンを押す構造であったため、ピストンロッドの有無により対応できる場合と出来ない場合があった。【解決手段】  前記シリンダ５を支持する支持部１６と、ピストンを押圧する押圧シャフト１７と、押圧シャフト１７を前進させる駆動手段１８とを備え、押圧シャフト１７の先端がピストン６の軸中心から外れた外側の位置に当たるようになし、その押圧シャフト１７の先端でピストン６をダイレクトに押圧するようにした医療用ペースト注入器２の押出装置３を提供する。【選択図】        図２
2005287764.tif 000002
【特許請求の範囲】
【請求項１】
先端にノズル部を形成した筒状形態であって内部にペーストを入れるシリンダと、そのシリンダ内の前記ペーストをノズル部から押し出すピストンとを有する医療用ペースト注入器に対し、その医療用ペースト注入器のピストンを押圧してペーストを押し出すために使用する押出装置であって、
前記シリンダを支持する支持部と、前記ピストンを押圧する押圧シャフトと、前記押圧シャフトを前進させる駆動手段とを備え、
前記押圧シャフトの先端がピストンの軸中心から外れた外側の位置に当たるようになし、その押圧シャフトの先端でピストンをダイレクトに押圧するようにしたことを特徴とする医療用ペースト注入器の押出装置。
【請求項２】
前記押圧シャフトをパイプ状に形成してその先端がピストンの軸中心の回りに当たるようにしたことを特徴とする請求項１記載の医療用ペースト注入器の押出装置。
【請求項３】
前記駆動手段は、ハンドルレバーを握る動作を押圧シャフトの前進運動に変換する運動変換機構と、押圧シャフトの逆進を止めるブレーキ機構で形成し、さらにそのブレーキ機構にはブレーキ作用を解除する指掛式の解除レバーを形成し、この解除レバーを前記ハンドルレバーより前方に配置すると共にブレーキ解除を実行するための操作方向を前記ハンドルレバーの握り方向と一致させるようにしたことを特徴とする請求項１又は２記載の医療用ペースト注入器の押出装置。
【請求項４】
前記駆動手段は、ハンドルレバーを握る動作を押圧シャフトの前進運動に変換する運動変換機構と、押圧シャフトの逆進を止めるブレーキ機構で形成し、前記ハンドルレバーを押圧シャフト前進用の握り方向に対して逆方向へも動き得るように形成し、一方、前記ブレーキ機構にはブレーキ作用を解除する解除レバーを形成し、さらにハンドルレバーの前記逆方向への運動を前記解除レバーのブレーキ解除運動に変換する運動変換機構を設けるようにしたことを特徴とする請求項１又は２記載の医療用ペースト注入器の押出装置。
【請求項５】
先端にノズル部を形成した筒状形態であって内部にペーストを入れるシリンダと、そのシリンダ内の前記ペーストをノズル部から押し出すピストンとを有し、前記ピストンの軸中心にピストンロッドを突設すると共にそのピストンロッドの軸端にハンドルを形成し、該ハンドルを着脱自在にしたことを特徴とする医療用ペースト注入器。
【請求項６】
前記シリンダ内でペーストを調製するための撹拌手段を設けたことを特徴とする請求項５記載の医療用ペースト注入器。
【請求項７】
前記撹拌手段は、前記ハンドルとピストンロッドと該ピストンロッドの先端に設けた撹拌翼で形成するようにしたことを特徴とする請求項６記載の医療用ペースト注入器。
【請求項８】
前記ペーストが骨ペーストであることを特徴とする請求項５乃至７の何れか１項に記載の医療用ペースト注入器。
【請求項９】
前記骨ペーストがリン酸カルシウム系骨ペーストであることを特徴とする請求項８記載の医療用ペースト注入器。
【請求項１０】
請求項１乃至４の何れか１項に記載の押出装置に医療用ペースト注入器を装着してなることを特徴とする医療用ペースト注入装置。
【請求項１１】
医療用ペースト注入器に入れるペーストが骨ペーストであることを特徴とする請求項１０記載の医療用ペースト注入装置。
【請求項１２】
医療用ペースト注入器に入れる骨ペーストがリン酸カルシウム系骨ペーストであることを特徴とする請求項１１記載の医療用ペースト注入装置。
【請求項１３】
請求項１乃至４の何れか１項に記載の押出装置に請求項５乃至９の何れか１項に記載の医療用ペースト注入器を装着してなることを特徴とする医療用ペースト注入装置。
【発明の詳細な説明】
【技術分野】
【０００１】
本発明は医療分野で用いられるペーストを体内に注入するために使用する医療用ペースト注入器又はその医療用ペースト注入器に使用する押出装置又は医療用ペースト注入器を押出装置に装着した医療用ペースト注入装置に関する。
【背景技術】
【０００２】
現在、歯科を含む医療分野において、例えばリン酸カルシウム系骨ペーストを体内に注入して生体骨や歯の欠損部位を補ったり、金属やセラミックス等からなる人工骨を生体骨に接着する治療が行われている。
前記ペーストの注入には、先端にノズル部を形成した筒状形態であって内部にペーストを入れるシリンダと、そのシリンダ内に摺動自在に設けられ前記ペーストをノズル部から押し出すピストンとを有する専用の注入器が使われる。このような医療用ペースト注入器には、例えばピストンの軸中心にピストンロッドを突設した注射器型のものや、ピストンにピストンロッドを設けず、後述する押出装置の押圧シャフトでピストンを押し込むものなどがあり、種類やサイズが多種多様に存在する。
なお本出願人は、かかる医療用ペースト注入器に撹拌機能を付加した特許出願を既に行っている（特許文献１参照）。
【特許文献１】特開２０００−２３７２０８号公報
【発明の開示】
【発明が解決しようとする課題】
【０００３】
医療用ペースト注入器のピストンを軽い力で動かすための補助具として押出装置（「注入ガン」と呼ばれる拳銃型のものが一般的）が使われている。
ところが従来の押出装置は、ピストンの軸中心或いはピストンロッドの軸中心に自己の押圧シャフトを当ててピストンを押す構造であったため、例えばピストンロッドの無いタイプの医療用ペースト注入器対応の押出装置に、ピストンロッドを有する医療用ペースト注入器をセットしようとしても、押出装置の押圧シャフトとピストンロッドが干渉し合うから適合しない、というように特定の医療用ペースト注入器にしか対応できない問題があった。
【課題を解決するための手段】
【０００４】
請求項１に記載したように、先端にノズル部を形成した筒状形態であって内部にペーストを入れるシリンダと、そのシリンダ内の前記ペーストをノズル部から押し出すピストンとを有する医療用ペースト注入器に対し、その医療用ペースト注入器のピストンを押圧してペーストを押し出すために使用する押出装置であって、前記シリンダを支持する支持部と、前記ピストンを押圧する押圧シャフトと、前記押圧シャフトを前進させる駆動手段とを備え、前記押圧シャフトの先端がピストンの軸中心から外れた外側の位置に当たるようになし、その押圧シャフトの先端でピストンをダイレクトに押圧するようにした医療用ペースト注入器の押出装置を提供する。
【０００５】
また、請求項２に記載したように、前記押圧シャフトをパイプ状に形成してその先端がピストンの軸中心の回りに当たるようにした請求項１記載の医療用ペースト注入器の押出装置を提供する。
【０００６】
また、請求項３に記載したように、前記駆動手段は、ハンドルレバーを握る動作を押圧シャフトの前進運動に変換する運動変換機構と、押圧シャフトの逆進を止めるブレーキ機構で形成し、さらにそのブレーキ機構にはブレーキ作用を解除する指掛式の解除レバーを形成し、この解除レバーを前記ハンドルレバーより前方に配置すると共にブレーキ解除を実行するための操作方向を前記ハンドルレバーの握り方向と一致させるようにした請求項１又は２記載の医療用ペースト注入器の押出装置を提供する。
【０００７】
また、請求項４に記載したように、前記駆動手段は、ハンドルレバーを握る動作を押圧シャフトの前進運動に変換する運動変換機構と、押圧シャフトの逆進を止めるブレーキ機構で形成し、前記ハンドルレバーを押圧シャフト前進用の握り方向に対して逆方向へも動き得るように形成し、一方、前記ブレーキ機構にはブレーキ作用を解除する解除レバーを形成し、さらにハンドルレバーの前記逆方向への運動を前記解除レバーのブレーキ解除運動に変換する運動変換機構を設けるようにした請求項１又は２記載の医療用ペースト注入器の押出装置を提供する。
【０００８】
また、請求項５に記載したように、先端にノズル部を形成した筒状形態であって内部にペーストを入れるシリンダと、そのシリンダ内の前記ペーストをノズル部から押し出すピストンとを有し、前記ピストンの軸中心にピストンロッドを突設すると共にそのピストンロッドの軸端にハンドルを形成し、該ハンドルを着脱自在にした医療用ペースト注入器を提供する。
【０００９】
また、請求項６に記載したように、前記シリンダ内でペーストを調製するための撹拌手段を設けた請求項５記載の医療用ペースト注入器を提供する。
【００１０】
また、請求項７に記載したように、前記撹拌手段は、前記ハンドルとピストンロッドと該ピストンロッドの先端に設けた撹拌翼で形成するようにした請求項６記載の医療用ペースト注入器を提供する。
【００１１】
また、請求項８に記載したように、前記ペーストが骨ペーストである請求項５乃至７の何れか１項に記載の医療用ペースト注入器を提供する。
【００１２】
また、請求項９に記載したように、前記骨ペーストがリン酸カルシウム系骨ペーストである請求項８記載の医療用ペースト注入器を提供する。
【００１３】
また、請求項１０に記載したように、請求項１乃至４の何れか１項に記載の押出装置に医療用ペースト注入器を装着してなる医療用ペースト注入装置を提供する。
【００１４】
また、請求項１１に記載したように、医療用ペースト注入器に入れるペーストが骨ペーストである請求項１０記載の医療用ペースト注入装置を提供する。
【００１５】
また、請求項１２に記載したように、医療用ペースト注入器に入れる骨ペーストがリン酸カルシウム系骨ペーストである請求項１１記載の医療用ペースト注入装置を提供する。
【００１６】
また、請求項１３に記載したように、請求項１乃至４の何れか１項に記載の押出装置に請求項５乃至９の何れか１項に記載の医療用ペースト注入器を装着してなる医療用ペースト注入装置を提供する。
【発明の効果】
【００１７】
請求項１の押出装置は、押圧シャフトの先端がピストンの軸中心から外れた外側の位置に当たるようになっていて、その押圧シャフトの先端でピストンをダイレクトに押圧するようにしたため、ピストンロッドを有する医療用ペースト注入器に対してはピストンロッドの位置と押圧シャフトの位置にずれがあって干渉し合わないため使用可能であり、一方、ピストンロッドを有しない医療用ペースト注入器に対しては押圧シャフトがダイレクトにピストンを押圧するため使用可能であり、このように１つの押出装置でタイプの異なる複数の医療用ペースト注入器に対応できる。
また、ピストンロッドを有する医療用ペースト注入器に対して使用する場合、押圧シャフトとピストンロッドが干渉し合わないから、ピストンロッドの長短に合わせるための面倒な調節等を必要とせず、さらにピストンから後のサイズが、ピストンロッドと押圧シャフトの何れか長い方の大きさで決まるため、ピストンロッドの長さに押圧シャフトの長さが単純に加算される従来装置に比べてコンパクト化が可能である。さらにまた、ピストンロッドに荷重が加わらないため、ピストンロッドの強度を考慮する必要が無く、構造面や材質面でより広範囲の医療用ペースト注入器に対応できる。
【００１８】
また、請求項２のように押圧シャフトをパイプ状に形成してピストンの軸中心の回りに当たるようにすれば、ピストンに対して押圧シャフトの力が均等に作用するため、ピストンの動きが円滑になる。
【００１９】
また、請求項３のようにブレーキ解除用の解除レバーを押圧シャフトを動かすハンドルレバーより前方に配置し、しかも解除レバーとハンドルレバーの操作方向を一致させるようにすれば、解除レバーとハンドルレバーの操作が択一的になるから両レバーを同時に操作してしまうおそれがない。
【００２０】
また、請求項４の押出装置は、ハンドルレバーの通常の操作による動きとは逆の動きでブレーキ解除用の解除レバーを操作するようにしたため、解除レバーとハンドルレバーを同時に操作してしまうおそれがなく、しかも解除レバーをハンドルレバーで操作するようにしたため、解除レバーの前方に指掛け用のスペースを設ける必要がなく、その分装置のコンパクト化が可能になる。
【００２１】
また、請求項５のように医療用ペースト注入器のピストンロッドにハンドルを設けてそれを着脱自在とすれば、本発明の押出装置に装着する際にハンドルのみ取り外せばよいため、手動操作に都合の良い大きさや形状のハンドルが制限無く使える。
【発明を実施するための最良の形態】
【００２２】
［実施形態１］
以下に本発明の実施の形態１を図面を参照しつつ説明する。なお、図１は医療用ペースト注入装置の斜視図、図２は医療用ペースト注入装置の縦断面図、図３は医療用ペースト注入器と押出装置を分解した縦断面図、図９（ａ）は医療用ペースト注入器の縦断面図、図９（ｂ）は医療用ペースト注入器のハンドルとキャップを外した縦断面図、図１０は医療用ペースト注入器の拡大平面図である。
【００２３】
本発明の医療用ペースト注入装置（以下単に「ペースト注入装置」という。）１は、医療用ペースト注入器（以下単に「ペースト注入器」という。）２を補助具たる押出装置３に装着したものである。そこで先ずペースト注入器２について説明する。
【００２４】
［ペースト注入器］
ペースト注入器２は、図９（ａ），（ｂ）に示したように、先端にノズル部４を形成した筒状形態であって内部にペーストを入れるシリンダ５と、そのシリンダ５内に摺動自在に設けられ前記ペーストをノズル部４から押し出すピストン６とを有し、本発明ではさらにペーストの撹拌手段が付加されている。
【００２５】
前記シリンダ５は合成樹脂製であって、非ノズル部側の筒端に外向きのフランジ７が突設され、また、ノズル部４の先に取り外し可能な状態にキャップ８が嵌められている。前記フランジ７は、図１０に示したように、長辺の長さをｘ、短辺の長さをｙとするような長方形を基本形とし、その長方形の短辺をシリンダ５と同心の半径ｘ／２の円弧に丸めた形態である。
【００２６】
前記ピストン６は、別体の止め工具（図示せず）係合用の首部９を有する高強度の主体部１０と、シリンダ５の内面に密着する弾性的なシール部材１１とからなり、主体部１０の前にシール部材１１が一体に取り付けられている。また、主体部１０には軸心に雌ネジ孔１２が貫設されており、その雌ネジ孔１２に前記撹拌手段の構成要素でもあるネジ軸形態のピストンロッド１３が螺合している。
【００２７】
前記撹拌手段は、前記したネジ軸形態のピストンロッド１３と、そのピストンロッド１３の先端に形成した撹拌翼１４と、ピストンロッド１３の後端に設けたハンドル１５とからなる。ピストンロッド１３とハンドル１５は、ピストンロッド１３の軸端に形成した角軸部１３ａをハンドル１５の中心に貫設した角穴１５ａに嵌め、さらにピストンロッド１３の角軸部１３ａに形成した弾性変形可能な爪片１３ｂ，１３ｂをハンドル１５の角穴１５ａの段部１５ｂに係合させて繋がっている。従って、ピストンロッド１３の角軸部１３ａの爪片１３ｂ，１３ｂを中心寄りに撓ませてハンドル１５の段部１５ｂとの係合を外せば、ピストンロッド１３からハンドル１５が抜ける。また、逆にピストンロッド１３の角軸部１３ａにハンドル１５の角穴１５ａを嵌め入れて強制的に押し込めば、爪片１３ｂ，１３ｂが角穴１５ａの内周に擦れて撓みつつ最終的に段部１５ｂに係合して結合状態に戻る。このようにハンドル１５はピストンロッド１３に対し着脱自在である。
【００２８】
本発明のペースト注入器２は以上のように構成されているため、乳鉢等を使わずにシリンダ５内で直にペーストが調製できる。
すなわち、先ずシリンダ５内にペースト原料（例えばリン酸カルシウムの粉末）と混練液（例えば蒸留水）を入れ、図９（ａ）のようにキャップ８とピストン６でシリンダ５を密封し、次ぎに図９（ａ）の状態でピストン６の主体部１０の首部９に止め工具（図示せず）を外から嵌めてピストン６を完全にロックし、次ぎに図９（ａ）矢示Ｉのようにハンドル１５を回転させて同図二点鎖線のようにピストンロッド１３を前進させ、また、同図矢示IIのようにハンドル１５を逆転させてピストンロッド１３を後退させ、このときピストンロッド１３と一体に撹拌翼１４が回転しながら前進・後退してペースト原料と混練液を十分に混練する。この操作を３〜１０回繰り返せば必要とするペースト（例えばリン酸カルシウム系骨ペースト）が出来る。
この状態で首部９から止め工具を外してピストン６のロックを解除し、図９（ｂ）のようにハンドル１５をピストンロッド１３から取り外せば、前記押出装置３への装着準備が完了する。
【００２９】
なお、本発明のペースト注入器２は、ハンドル１５を装着した状態で手動注入も可能である。すなわち、上記の要領でペーストをシリンダ５内で調整した後、止め工具を外してピストン６のロックを解除し、ノズル部４のキャップ８を外して所定のチューブに付け替え、シリンダ５のフランジ７を固定して手でハンドル１５を押し込めば、ピストンロッド１３と一体にピストン６が前進してシリンダ５内のペーストが押し出される。
【００３０】
［押出装置］
押出装置３は、図３に示したように、前記シリンダ５を支持する支持部１６と、前記ピストン６を押圧する押圧シャフト１７と、前記押圧シャフト１７を前進させる駆動手段１８とを備えている。
【００３１】
前記支持部１６は、内部に部品空間１９を有する金属製の支持ベース２０と、金属製の帯板を角型Ｃ字形に折り曲げた支持鍵部２１で構成される。前記支持ベース２０は下半部をグリップ部２２とし、片手で握るに適した形状になっている。一方、前記支持鍵部２１は、高さ方向の内寸が前記シリンダ５のフランジ７の長さｘとほぼ同じに設定され、また、前面の割口部２１ａの高さが前記シリンダ５のフランジ７の長さｙより若干大きく設定されている。
【００３２】
前記押圧シャフト１７は金属製のパイプであって、その内径が前記ペースト注入器２のピストンロッド１３より大径で、さらに長さがピストンロッド１３より長くなっている。従ってペースト注入器２のピストンロッド１３は押圧シャフト１７の中にすっぽり収まる。この押圧シャフト１７は、前記支持部１６の支持鍵部２１中心と支持ベース２０の後壁２０ａに設けた２個の軸受け２３，２３によって摺動自在に支えられている。なお、押圧シャフト１７の両端には抜け止め用の止め環１７ａ，１７ａが嵌められている。
【００３３】
前記駆動手段１８は、支持ベース２０のグリップ部２２の上部に横軸２４で揺動自在に軸着したハンドルレバー２５と、支持ベース２０の部品空間１９内にあって押圧シャフト１７の外周に若干の遊びを持って遊嵌した送り輪爪２６と、送り輪爪２６を後ろ向きに付勢するため押圧シャフト１７に外装した送りスプリング２７と、送り輪爪２６の下端と前記ハンドルレバー２５の上端に自己の両端を夫々軸着して送り輪爪２６とハンドルレバー２５を機械的に連結するリンク２８と、支持ベース２０の後壁２０ａの外側であって押圧シャフト１７の外周に若干の遊びを持って遊嵌され且つ上端を支持ベース２０の後壁２０ａ上縁に引っ掛けて揺動可能とした解除レバー２９と、解除レバー２９を後ろ向きに付勢するため押圧シャフト１７に外装したブレーキスプリング３０とからなる。これらの要素のうち、送り輪爪２６と、送りスプリング２７と、リンク２８が、前記ハンドルレバー２５を握る動作を押圧シャフト１７の前進運動に変換する運動変換機構を構成する。また、解除レバー２９とブレーキスプリング３０が、押圧シャフト１７の逆進を止めるブレーキ機構を構成する。
【００３４】
押出装置３の駆動手段１８は以上のような構成であり、図２二点鎖線のように支持ベース２０のグリップ部２２を持って指先でハンドルレバー２５を握ると、ハンドルレバー２５が横軸２４を支点に傾動してリンク２８が前進し、そのリンク２８で送り輪爪２６の下側が前方に引っ張られる。
そうすると送り輪爪２６が僅かに傾いて押圧シャフト１７上でこじれるから、そのこじれに伴う摩擦抵抗の増大により送り輪爪２６と一緒に押圧シャフト１７が前進する。
一方、ブレーキ機構の解除レバー２９は、ブレーキスプリング３０で押されて支持ベース２０の後壁２０ａ上縁を支点として僅かに傾き、押圧シャフト１７上で常にこじれた格好になっている。この解除レバー２９のこじれに対して押圧シャフト１７の前進はそのこじれを解消させる向きの力として作用するため、解除レバー２９は押圧シャフト１７の前進に対しブレーキ機能を果たさない。これに対し押圧シャフト１７の後退は解除レバー２９のこじれを増大させる向きの力として作用するため、押圧シャフト１７の後退に対し解除レバー２９はブレーキ力を発揮する。
しかして、先程握ったハンドルレバー２５の力を緩めると、送りスプリング２７の付勢により送り輪爪２６とハンドルレバー２５が復動する。このとき送りスプリング２７の力の作用線と押圧シャフト１７の軸線がほぼ一致するため、送り輪爪２６がこじれることなく押圧シャフト１７上を素直に移動する。加えて、押圧シャフト１７には解除レバー２９によって逆進方向に対するブレーキ力が常時働いているため、送り輪爪２６の前記復動につられて押圧シャフト１７が逆進するおそれもない。
【００３５】
以上のようにハンドルレバー２５を１回握って緩める操作で押圧シャフト１７が所定量前進するから、その操作を複数回実行すれば押圧シャフト１７を必要量前進させることができる。なお、図３中符号３１は押圧シャフト１７の１回当たりの前進量（送出し量）を調節する送り調節手段である。この送り調節手段３１は回転ダイヤル式であり、グリップ部２２内に設けた回転軸３２により回転自在な円板形のダイヤル３３と、回転軸３２からの距離を違えてダイヤル３３の側面に突設した複数の停止ピン３４，３４，３４と、グリップ部２２に貫設した小孔３５，３５…（図１参照）に係合してダイヤル３３の動きを簡易固定する球体３６で構成され、押圧シャフト１７の送出し量を調節する場合はグリップ部２２の後面に設けた調節窓３７から指先でダイヤル３３を回し、ハンドルレバー２５の揺動領域内に任意の１つの停止ピン３４を臨ませる。そうすると、その停止ピン３４にハンドルレバー２５が当たってその分ハンドルレバー２５の揺動範囲が減少するから、当然押圧シャフト１７の送出し量も減少する。図示したように実施形態のダイヤル３３には３本の停止ピン３４，３４，３４が設けてあるため、何れの停止ピン３４，３４，３４も使わない設定を含めて押圧シャフト１７の送出し量は４通りに設定できる。なお、実施形態では停止ピン３４の１つを筒状にしてその内部にスプリング（図示せず）を内装し、そのスプリングで前記球体３６をグリップ部２２の小孔３５に押し付けるようにしてある。
【００３６】
［ペースト注入装置］
ペースト注入装置１は、前記押出装置３に前記ペースト注入器２を装着したものである。前記のようにペースト注入器２は、シリンダ５内でペーストを調製し、ピストンロッド１３からハンドル１５を外した状態になっているため、そのペースト注入器２を図３のように支持鍵部２１の前に移動させ、ピストンロッド１３の端を押圧シャフト１７の中心に向かわせて内部に差し入れる。このときシリンダ５のフランジ７を横長の向きにして支持鍵部２１の割口部２１ａを通す。そして支持鍵部２１内でピストンロッド１３を中心としてシリンダ５を９０度回転させると、フランジ７が支持鍵部２１に係合して抜けなくなる。これでペースト注入器２の支持部１６への取り付けが完了し、押圧シャフト１７の先端がピストン６の軸中心の回りにドーナツ状に当たっている。
この状態でペースト注入器２のノズル部４に嵌めたキャップ８を外し、そのノズル部４にチューブ等をつないでからハンドルレバー２５を操作すると、上記の要領で押圧シャフト１７が前進し、その押圧シャフト１７の先端でピストン６がダイレクトに押圧され、シリンダ５内のペーストがノズル部４から押し出され、それがチューブを通って体内に注入される。
そして予定量の注入が完了した場合は、先ず解除レバー２９の下側を支持ベース２０の方に押して解除レバー２９の押圧シャフト１７に対する僅かな傾斜を打ち消す。これによりこじれによる解除レバー２９の摩擦抵抗が無くなってブレーキが解除されるから、押圧シャフト１７を持って簡単に引き戻すことができる。その後、シリンダ５を９０度回転させるとフランジ７が横長の向きになって支持鍵部２１との係合が外れるから、そのまま引っ張ればペースト注入器２が支持部１６から外れる。なお、ペースト注入器２のピストン６はピストンロッド１３を引っ張れば元の位置に戻る。
【００３７】
［実施形態２］
図４，図５は押出装置３の実施形態２を示すものであり、図４は医療用ペースト注入装置の縦断面図、図５は図４の要部拡大図である。なお、図４，図５において図１〜図３と同符号の部分は、前記実施形態１と同一又は同機能の部分を示すものであり、従って詳細な説明を省略する。
【００３８】
本実施形態２の特徴は、ブレーキ機構を構成する解除レバー２９の配置と形態にある。すなわち本実施形態２において解除レバー２９は指掛式であって、図４，図５に示したようにハンドルレバー２５の前方に配置され、且つ、ブレーキ解除を実行するための操作方向（図５矢示III参照）がハンドルレバー２５の握り方向（図５矢示IV）と一致するようになっている。こうすることにより、解除レバー２９とハンドルレバー２５の操作が択一的になるから、例えば所定量の注入を終えた段階で押圧シャフト１７を戻すために解除レバー２９を操作し、そのとき誤ってハンドルレバー２５を握ってペーストを漏らす、というようなおそれがない。また、解除レバー２９とハンドルレバー２５の同時操作は、押圧シャフト１７がどちらの方向にも動かなくなるトラブルを誘発するおそれがあるが、解除レバー２９とハンドルレバー２５の操作が択一的である限りそのようなトラブルは発生しない。
【００３９】
なお、本実施形態２の送り調節手段３１はプッシュレバー式であり、支持ベース２０の後端上部に設けた出没自在なレバー３８と、そのレバー３８を上昇位置に支える座金状のバネ３９と、レバー３８の下面に形成した引掛部３８ａとからなり、レバー３８に指を載せて図５矢示Ｖ方向に押圧すると、レバー３８が下がって引掛部３８ａが送り輪爪２６の移動領域の中に入る。そうすると送り輪爪２６が引掛部３８ａに当たって止まるから送り輪爪２６の移動範囲が短く規制される。また、レバー３８から指を離すとバネ３９の力で元の姿勢に復動し、引掛部３８ａが送り輪爪２６の移動領域から外れるため前記規制が解除される。従って、本実施形態の押圧シャフト１７の送出し量の設定は長短２通りである。
【００４０】
［実施形態３］
図６〜図８は押出装置３の実施形態３を示すものであり、図６は医療用ペースト注入装置の縦断面図、図７は図６の要部拡大図、図８は図７のＸ−Ｘ線断面図である。なお、図６〜図８において図１〜図５と同符号の部分は、前記実施形態１又は２と同一又は同機能の部分を示すものであり、従って詳細な説明を省略する。
【００４１】
本実施形態３において解除レバー２９は、実施形態２と同様にハンドルレバー２５の前方に設けられている。一方、ハンドルレバー２５は、図７に示したように、リンク２８の軸孔２８ａを長くして遊びを持たせる（いわゆる長孔状にする。）ことにより送り輪爪２６に影響を与えることなく、これまで説明した押圧シャフト１７前進用の握り方向に対して逆方向（図７二点鎖線参照）へも動き得るように形成される。このハンドルレバー２５の逆方向への運動（変位）を前記解除レバー２９のブレーキ解除運動に変換すべく、解除レバー２９の下半部を後方に向けて略「く」の字状に折り曲げると共に弧状に曲がった屈曲部外面にハンドルレバー２５の前壁２５ａの頂部が接するように、換言すれば解除レバー２９の前面下半部にハンドルレバー２５の前壁２５ａが被さるようにして組み合わせる。このような解除レバー２９とハンドルレバー２５の組合せが、ハンドルレバー２５の図７矢示VI方向への運動を解除レバー２９のブレーキ解除運動に変換する運動変換機構となる。すなわち、図７実線の状態でハンドルレバー２５を図７矢示VIの方向に揺動させると、ハンドルレバー２５の前壁２５ａの頂部が横軸２４を中心とする弧を描いて上昇し、その動きに押されて解除レバー２９が図７二点鎖線のようにブレーキ解除実行方向に振れる。このときハンドルレバー２５の自由端（下端）側に力を加える程、梃子作用により解除レバー２９に強い力を伝えることができる。なお、ハンドルレバー２５を押圧シャフト１７前進用の握り方向（図６矢示VII方向）に握る場合は、解除レバー２９の下半部の折れ曲がりによってハンドルレバー２５の前壁２５ａと解除レバー２９が全く干渉しない。従って何の支障もなく押圧シャフト１７を前進させることができる。
【００４２】
実施形態３の送り調節手段３１は、実施形態２のプッシュレバー式を回動式にしたものであり、図８に示したように、支持ベース２０の後端上部に設けた回動自在なカバー４０と、そのカバー４０に固着した止めピン４１とからなり、カバー４０を図８矢示VIII方向に回すと、止めピン４１が移動して送り輪爪２６の移動領域の中に入る。そうすると実施形態２と同じように送り輪爪２６が止めピン４１に当たって止まるから送り輪爪２６の移動範囲が短く規制される。また、カバー４０を元の位置に戻すと、止めピン４１が送り輪爪２６の移動領域から外れるため前記規制が解除される。従って、本実施形態３の押圧シャフト１７の送出し量の設定も実施形態２と同じく長短２通りである。
【００４３】
以上実施形態３の押出装置３は、解除レバー２９とハンドルレバー２５を同時に操作するおそれがないから、実施形態２と同様の利益が得られる。そしてさらに、前記実施形態２の押出装置３が解除レバー２９の前に指掛け用のスペースを必要とするのに対し、本実施形態３ではハンドルレバー２５で解除レバー２９を操作するためそのようなスペースが不要であり、その分装置のコンパクト化が可能である。
【００４４】
以上本発明を実施の形態について説明したが、もちろん本発明は上記実施形態に限定されるものではない。例えば実施形態では押圧シャフト１７の駆動手段をハンドルレバー２５による手動操作方式としたが、モータやソレノイド等の電気的駆動源或いは油圧や空気圧のような流体圧による駆動源を使用するようにしてもよい。また、実施形態では運動変換機構として輪爪による摩擦力を利用したが、ハンドルレバー２５を握る動作を押圧シャフト１７の前進運動に変換できるものであれば、歯車やカム等の機械要素を適宜組み合わせるようにしてもよい。
【００４５】
また、実施形態では押圧シャフト１７をパイプで形成したが、押圧シャフト１７を中実のシャフトで形成してもよい。この場合、中実のシャフトを複数本にしてピストン６の軸中心の回りに均等に配置すれば、ピストン６をバランス良く押圧することができる。
【００４６】
また、実施形態では本発明の押出装置３にピストンロッド１３を有するペースト注入器２を装着したが、もちろんピストンロッド１３のないペースト注入器２を装着することもできる。また、実施形態のペースト注入器２は撹拌機能を付加したものであるが、本発明の押出装置３は、そのような撹拌機能のないペースト注入器２にも適用可能である。
【図面の簡単な説明】
【００４７】
【図１】ペースト注入装置の斜視図である。
【図２】ペースト注入装置の縦断面図である。
【図３】ペースト注入器と押出装置を分解した縦断面図である。
【図４】他の形態を示すペースト注入装置の縦断面図である。
【図５】図４の要部拡大図である。
【図６】医療用ペースト注入装置の縦断面図である。
【図７】図６の要部拡大図である。
【図８】図７のＸ−Ｘ線断面図である。
【図９】（ａ）はペースト注入器の縦断面図、（ｂ）はペースト注入器のハンドルとキャップを外した縦断面図である。
【図１０】ペースト注入器の拡大平面図である。
【符号の説明】
【００４８】
１  …医療用ペースト注入装置
２  …医療用ペースト注入器
３  …押出装置
４  …ノズル部
５  …シリンダ
６  …ピストン
１３…ピストンロッド
１５…ハンドル
１６…支持部
１７…押圧シャフト
１８…駆動手段
２５…ハンドルレバー
２９…解除レバー
【図１】
2005287764.tif 000003
【図２】
2005287764.tif 000004
【図３】
2005287764.tif 000005
【図４】
2005287764.tif 000006
【図５】
2005287764.tif 000007
【図６】
2005287764.tif 000008
【図７】
2005287764.tif 000009
【図８】
2005287764.tif 000010
【図９】
2005287764.tif 000011
【図１０】
2005287764.tif 000012